(57)【特許請求の範囲】
【請求項１】
表示ユニットを支持する支持部と台座を備え、
前記台座が、平滑な外装面と下面が開口された格子状リブを有する裏面を備え、前記裏面の所定の複数個所に、所定厚みの四角形のゴム足を装着する四角形の枠状リブから形成される平面視四角形のゴム足装着部を設け、
前記ゴム足装着部に前記ゴム足の嵌め込み深さを規定する当接リブを設けた構成のスタンドであって、
前記当接リブと前記ゴム足との間に接着剤を介装して前記ゴム足を接着固定すると共に、
前記当接リブは、当該接着強度を所定の強度に維持する所定の当接面積を有し、
前記ゴム足の四隅に対応した位置に、前記当接リブを設けずに、前記ゴム足の四隅を内側に嵌まり込むように変形可能に収容する逃げ部であり、前記ゴム足のさらなる嵌まり込みを許可する退避スペース、を設けたことを特徴とするスタンド。
【請求項２】
前記台座が平面視で四角形であって、角部の４箇所に前記ゴム足を配設することを特徴とする請求項１に記載のスタンド。
【請求項３】
前記当接リブが、前記ゴム足装着部の中央部に設ける円形当接リブと、該円形当接リブと前記ゴム足装着部の内壁を接続する複数の放射状当接リブを備えていることを特徴とする請求項１または２に記載のスタンド。
【請求項４】
前記当接リブが、格子状当接リブを備えていることを特徴とする請求項１または２に記載のスタンド。
【請求項５】
前記当接リブが、幅広の十字状当接リブを備えていることを特徴とする請求項１または２に記載のスタンド。
【請求項６】
表示ユニットを支持する支持部と台座を備えるスタンドであって、
前記台座が、平滑な外装面と下面が開口された格子状リブを有する裏面を備え、前記裏面の所定の複数個所に、所定厚みの四角形のゴム足を装着する四角形の枠状リブから形成される平面視四角形のゴム足装着部を設け、
前記ゴム足装着部に前記ゴム足の嵌め込み深さを規定し所定の当接面積で当接する当接リブを設け、該当接リブと前記ゴム足との間に接着剤を介装して前記ゴム足を接着固定すると共に、
前記ゴム足の四隅に対応した位置に、前記当接リブを設けずに前記ゴム足のさらなる嵌まり込みを許可する退避スペースを設け
前記当接リブが、前記ゴム足装着部の中央部に設ける円形当接リブと、該円形当接リブと前記ゴム足装着部の内壁を接続する複数の放射状当接リブを備えていることを特徴とするスタンド。
【発明の詳細な説明】
【技術分野】
【０００１】
本発明は、液晶ディスプレイなどの薄型の表示ユニットを成立状態に支持するスタンドに関し、特に、接地面にゴム足を備えるスタンドに関する。
【背景技術】
【０００２】
従来、液晶パネルと駆動装置を備える液晶モジュールを、フロントキャビネットとリアキャビネットで挟持して表示ユニットを構成し、この表示ユニットを正立状態に支持するスタンドを取り付けた薄型の表示装置が知られている。
【０００３】
このスタンドの多くは接地面積の大きな台座を備えている。また、この台座の接地面の外周部の複数個所にゴム足を備えて、載置する表示装置に対する緩衝機能と接地部を損傷しない損傷予防機能を発揮するようにされているものがある。このような台座は一般に樹脂成型品とされ、滑らかな一様な外装面と、多数のリブを格子状に設けた裏側部とを備えており、この格子状リブ部に円柱状のゴム足を装着する円形のリブを複数個所（例えば４箇所）に設けている。
【０００４】
台座が矩形であれば、その角部の４箇所にゴム足を設けて、台座を安定して設置することができる。また、台座が円形であれば、外周部の４箇所以上の複数個所にゴム足を設けることもある。例えば、特許文献１には、円形の台座に５つのボス孔を設けて、５つのゴム足を装着したプロジェクタが開示されている。
【０００５】
また、円形に替えて四角形のゴム足を用いることもあって、内部に柱状突起を設けた凹部に、この柱状突起に嵌合する穴を備える立方体状のゴム足を嵌入すると共に、一旦取り付けたゴム足が外れないように、柱状突起の外周にリブ（微小な突条）を形成した支持足の取り付け構造（例えば、特許文献２参照）が既に開示されている。
【先行技術文献】
【特許文献】
【０００６】
【特許文献１】特開２００７−３０４１７１号公報
【特許文献２】特開２００８−１２８３５５号公報
【発明の概要】
【発明が解決しようとする課題】
【０００７】
ゴム足を製造する際には、ゴム足と同じ厚みのゴム板を製造して、このゴム板から所望形状のゴム足を打ち抜いて製造している。そのために、円形のゴム足を打ち抜いて製造すると、角部が余分となり、有効利用されない部分が廃棄物となって、製造コストが高くなってしまう。そのために、ゴム足の製造コストを低減するためには、廃棄物を生じず素材の有効利用を図ることが可能な四角形のゴム足が好ましい。
【０００８】
しかし、四角形のゴム足であっても上記特許文献２に記載された支持足の取り付け構造では、ゴム足を装着する凹部に、リブ（微小な突条）を形成した柱状突起を設ける必要があり、構成が複雑となって台座の製造コストが高くなってしまう。また、ゴム足にも、柱状突起に嵌合する穴を設ける必要が生じてしまい、コスト高となる問題が生じる。
【０００９】
そのために、ゴム足の製造コストを低減するために、四角形のゴム足を用いることが好ましく、スタンドの製造コストを低減するためには、四角形のゴム足を、より簡単な取り付け構造で外れ難い状態に装着可能とすることが求められる。
【００１０】
本発明は、上記問題点に鑑み、より簡単な構成で四角形のゴム足を外れ難い状態に装着した表示ユニットのスタンドを提供することを目的とする。
【課題を解決するための手段】
【００１１】
上記目的を達成するために本発明は、表示ユニットを支持する支持部と台座を備えるスタンドであって、前記台座が、平滑な外装面と下面が開口された格子状リブを有する裏面を備え、前記裏面の所定の複数個所に、所定厚みの四角形のゴム足を装着する四角形の枠状リブから形成される平面視四角形のゴム足装着部を設け、前記ゴム足装着部に前記ゴム足の嵌め込み深さを規定し所定の当接面積で当接する当接リブを設け、該当接リブと前記ゴム足との間に接着剤を介装して前記ゴム足を接着固定すると共に、前記ゴム足の四隅に対応した位置に、前記当接リブを設けずに前記ゴム足のさらなる嵌まり込みを許可する退避スペースを設けたことを特徴としている。
【００１２】
この構成によると、当接リブを介してゴム足の嵌め込み深さを規定しているので、台座底面部からの突出高さを所定量にして、所定の緩衝機能と損傷予防機能を発揮することができる。また、四角形のゴム足の四隅に退避スペースを設けているので、ゴム足に外力が付加されても、内側に嵌まり込むように変形可能となって、ゴム足の逃げ部を形成することで、角部のめくりあがりが抑制されて、ゴム足の外れ難いスタンドとなる。
【００１３】
また本発明は、上記構成のスタンドにおいて、前記台座が平面視で四角形であって、角部の４箇所に前記ゴム足を配設することを特徴としている。この構成によると、四角形のスタンドの四隅にゴム足を設けることで、上に載置する表示装置をしっかり保持し、所望の緩衝効果を発揮するスタンドとなる。
【００１４】
また本発明は、上記構成のスタンドにおいて、前記当接リブが、前記ゴム足装着部の中央部に設ける円形当接リブと、該円形当接リブと前記ゴム足装着部の内壁を接続する複数の放射状当接リブを備えていることを特徴としている。この構成によると、当接リブとして円形当接リブと複数の放射状当接リブを用いることで、所定の当接面積を得て所定の接着強度を発揮する当接リブとなる。また、四角形のゴム足の四隅に対応する位置に退避スペースを容易に設けることができる。
【００１５】
また本発明は、上記構成のスタンドにおいて、前記当接リブが、格子状当接リブを備えていることを特徴としている。この構成によると、当接リブとして格子状当接リブを用いることで、所定の当接面積を得て所定の接着強度を発揮する当接リブとなる。また、四角形のゴム足の四隅に対応する位置に退避スペースを容易に設けることができる。
【００１６】
また本発明は、上記構成のスタンドにおいて、前記当接リブが、幅広の十字状当接リブを備えていることを特徴としている。この構成によると、当接リブとして幅広の十字状当接リブを用いることで、大きな当接面積を得て大きな接着強度を発揮する当接リブとなる。また、四角形のゴム足の四隅に対応する位置に退避スペースを容易に設けることができる。
【発明の効果】
【００１７】
本発明によれば、四角形のゴム足を装着する四角形の枠状リブから形成される平面視四角形のゴム足装着部を設け、このゴム足装着部にゴム足の嵌め込み深さを規定し所定の当接面積で当接する当接リブを設けると共に、ゴム足の四隅に対応した位置に、当接リブを設けずにゴム足のさらなる嵌まり込みを許可する退避スペースを設けたので、ゴム足に外力が付加されても、内側に嵌まり込むように変形可能となって、ゴム足の逃げ部を形成することで、角部のめくりあがりが抑制されて、ゴム足の外れ難いスタンドを得ることができる。
【図面の簡単な説明】
【００１８】
【図１】本発明に係るスタンドの底面図である。
【図２】ゴム足装着部の拡大断面図である。
【図３】ゴム足装着部の各実施例を示す平面図であって、（ａ）に円形当接リブに複数の放射状当接リブを備えた第一例を示し、（ｂ）に円形当接リブに縦横それぞれ一本の格子状リブを備えた第二例を示し、（ｃ）に複数の格子状リブを備えた第三例を示し、（ｄ）に縦横それぞれ一本の幅広の格子状リブを備えた第四例を示す。
【図４】本発明に係るスタンドを備える表示装置の概略説明図である。
【発明を実施するための形態】
【００１９】
以下に本発明の実施形態を図面を参照して説明する。また、同一構成部材については同一の符号を用い、詳細な説明は適宜省略する。
【００２０】
本実施形態のスタンドは、例えば、図４に示すように、液晶モジュール１１とフロントキャビネット１２とリアキャビネット１３を備える表示ユニットＰを支持する支持部１ｂと台座１ａを備えるスタンド１である。
【００２１】
また、台座１ａにゴム足４を装着して、表示ユニットＰに衝撃を及ばせない所定の緩衝機能を発揮している。また、表示ユニットＰにこのスタンド１を取り付けて一体構成される表示装置ＴＶをテーブルなどに載置する際に、テーブル面を損傷しない損傷予防機能も発揮している。
【００２２】
台座１ａは、平滑な外装面と下面が開口された格子状リブ３を有する裏面を備えている。例えば、図１に示すように、台座１ａが平面視で四角形であれば、角部の４箇所にゴム足４を配設することができる。また、例えば、四角形のスタンドの四隅に平面視四角形のゴム足装着部２を設けて、所定厚みの四角形のゴム足４を設けることで、上に載置する表示装置をしっかり保持し、所望の緩衝効果を発揮するスタンドとなる。また、ゴム足装着部２に前記ゴム足４の嵌め込み深さを規定し所定の当接面積で当接する当接リブを設け、該当接リブと前記ゴム足との間に接着剤を介装して前記ゴム足を接着固定している。
【００２３】
例えば、図２に示すように、ゴム足装着部２（２Ａ、２Ｂ、２Ｃ、２Ｄ）は、四角形の枠状リブ２１によって形成され、その内部に当接リブ２２、２３、２４、２５を備えている。このゴム足装着部２に厚みＨのゴム足４を装着すると、枠状リブ２１の開口端から高さｈ１突出するように、当接リブ２２〜２５を介してゴム足４の嵌め込み深さを規定している。
【００２４】
また、前記ゴム足４の四隅に対応した位置に、当接リブ２２〜２５を設けずに前記ゴム足４のさらなる嵌まり込みを許可する退避スペース５（５Ａ〜５Ｄ）を設ける構成としている。
【００２５】
上記の構成であれば、当接リブ２２〜２５を介してゴム足４の嵌め込み深さを規定しているので、台座底面部からの突出高さｈ１を所定高さにして、所定の緩衝機能と損傷予防機能を発揮することができる。また、四角形のゴム足４の四隅に退避スペース５（５Ａ〜５Ｄ）を設けているので、ゴム足４に外力が付加されても、ゴム足４の角部が内側に嵌まり込むように変形可能となって、角部のめくりあがりが抑制されて、ゴム足４の外れ難いスタンド１となる。
【００２６】
次に、図３を用いて当接リブ２２〜２５の各実施形態についてさらに説明する。
【００２７】
図３（ａ）には、当接リブとして、円形当接リブと複数の放射状当接リブを備えた第一例のゴム足装着部２Ａを示している。この第一例では、ゴム足装着部２Ａの中央部に設ける円形当接リブ２２と、該円形当接リブ２２と四角形の外枠を形成する枠状リブ２１を接続する複数の放射状当接リブ２３（例えば、図中に示す６本）を備えている。また、複数の放射状当接リブ２３を設ける構成であっても、角部の四隅には放射状当接リブ２３を設けずに、四角形のゴム足４の角部の退避スペース５Ａ、５Ｂ、５Ｃ、５Ｄを設ける構成としている。
【００２８】
この構成であれば、円形当接リブ２２と複数の放射状当接リブ２３からなる当接リブを用いることで、所定の当接面積を発揮する当接リブとなる。また、四角形のゴム足４の四隅に対応する位置に退避スペース５Ａ〜５Ｄを設けているので、外力が付加されても、ゴム足４の角部が内側に嵌まり込むように変形して、外れ難くなる効果を発揮する。つまり、この退避スペース５Ａ〜５Ｄは、ゴム足４の逃げ部となる。
【００２９】
放射状当接リブ２３の本数が増加すれば、ゴム足４との当接面積が増大して、接着強度が増す。しかし、本数が多くなり過ぎると、退避スペース５Ａ〜５Ｄの面積が小さくなって好ましくない。そのために、放射状当接リブ２３の設置本数は、ゴム足４の接着強度が満足される条件を満足する最小本数に抑制することが好ましく、この第一例に示す６本、もしくは、図３（ｂ）に示す第二例のような、４本の放射状当接リブ２３を備えるゴム足装着部２Ｂが好ましい。
【００３０】
この構成であれば、円形当接リブ２２と縦横に計４本の放射状当接リブ２３を備えて、所定の接着強度を発揮する程度の当接面積を得て、四角形のゴム足の四隅に対応する位置に大きな退避スペース５Ａ〜５Ｄを設けることができ、ゴム足４の逃げ部をさらに容易に形成することができる。
【００３１】
また、当接リブとして、格子状当接リブ２４を用いることができる。例えば、図３（ｃ）に示すように、四角形の枠状リブ２１の内部の縦横にそれぞれ２本のリブを備える格子状当接リブ２４を設けた第三例のゴム足装着部２Ｃを用いることができる。この構成であれば、当接リブとして格子状当接リブ２４を用いることで、所定の当接面積を得て所定の接着強度を発揮する当接リブとなる。また、四角形のゴム足４の四隅に対応する位置に退避スペース５Ａ、５Ｂ、５Ｃ、５Ｄを容易に設けることができる
【００３２】
また、ゴム足装着部２に幅広の当接リブを設けることができる場合は、図３（ｄ）に示すように、四角形の枠状リブ２１の内部に、縦横それぞれ一本のリブからなる幅広の十字状当接リブ２５を備えた第四例のゴム足装着部２Ｄを用いることができる。この構成であれば、当接リブとして幅広の十字状当接リブ２５を用いることで、大きな当接面積を得て大きな接着強度を発揮する当接リブとなる。また、四角形のゴム足４の四隅に対応する位置に退避スペース５Ａ、５Ｂ、５Ｃ、５Ｄを容易に設けることができる。
【００３３】
上記したように、液晶モジュール１１とフロントキャビネット１２とリアキャビネット１３を備える表示ユニットＰを支持する支持部１ｂと台座１ａを備えるスタンド１に、ゴム足４を装着すると共に、このゴム足４の角部に相当する位置に、ゴム足４の逃げ部を形成したゴム足装着部２Ａ〜２Ｄとしたので、外力が付加されても、ゴム足４の角部が内側に嵌まり込むように変形して、めくりあがりが抑制され、ゴム足４の外れ難いスタンド１となる。
【００３４】
また、前記台座１ａが平面視で四角形であれば、スタンドの角部の４箇所にゴム足４を配設するゴム足装着部２を設けて、スタンドの四隅に設けるゴム足４を介して、上に載置する表示装置Ｐをしっかり保持し、所望の緩衝効果を発揮するスタンド１を構成することができる。
【００３５】
このように、ゴム足４の形状を円形ではなく四角形とすることで、所定厚みのゴム板から、余分な廃棄物を生じることなく、所定寸法で所定数量のゴム足４を製造することができ、素材の有効利用を図ることが可能となり、ゴム足４の製造コストを低減することができる。
【００３６】
また、四角形のゴム足であっても、四角形の枠状リブから形成されるゴム足装着部に、ゴム足の角部に対応した位置にゴム足の逃げ部を設けたので、角部がゴム足装着部の内側に嵌まり込むように変形可能となって、角部のめくりあがりが抑制されて、ゴム足装着部から外れ難くなる。
【００３７】
以上、液晶モジュールを備える表示ユニットなどをテーブル上に設置するスタンドについて説明してきたが、本発明に係るスタンドは、表示ユニット以外の電気装置やその他のキャビネットなどに装着するスタンドにも適用することができる。
【００３８】
上記したように、本発明に係るスタンドによれば、四角形のゴム足を装着する四角形のゴム足装着部を設け、このゴム足装着部にゴム足の嵌め込み深さを規定し所定の当接面積で当接する当接リブを設けると共に、ゴム足の四隅に対応した位置に、当接リブを設けずにゴム足のさらなる嵌まり込みを許可する退避スペースを設けたので、ゴム足に外力が付加されても、内側に嵌まり込むように変形可能となって、ゴム足の逃げ部を形成することで、角部のめくりあがりが抑制され、ゴム足の外れ難いスタンドを得ることができる。
【００３９】
また、ゴム足を四角形とすることで、素材の有効利用を図ることができゴム足の製造コストを低減することができる。
【産業上の利用可能性】
【００４０】
そのために、本発明に係るスタンドは、大量生産される家電製品やキャビネットなどのスタンドに好適に適用することができる。
【符号の説明】
【００４１】
１    スタンド
１ａ  台座
２    ゴム足装着部
３    格子状リブ
４    ゴム足
５    退避スペース
２１    枠状リブ
２２    円形当接リブ
２３    放射状当接リブ
２４    格子状当接リブ
２５    十字状当接リブ
【図１】
0005381452.tif 000002
【図２】
0005381452.tif 000003
【図３】
0005381452.tif 000004
【図４】
0005381452.tif 000005